(57)【要約】【課題】、カバーの取付状態を維持したままで、カバーの変形を防止することのできる記録装置を提供する。【解決手段】記録装置は、第１の方向に移動しながら媒体に記録を行う記録ヘッドと、前記記録ヘッドを備えるとともに、前記記録ヘッドから吐出されるインクが収容されたインクカートリッジが着脱可能に構成された、前記第１の方向に移動可能なキャリッジと、前記キャリッジの移動領域上方を覆う状態と開放する状態とを取り得るカバーと、前記カバーの内側に設けられ、前記カバーの変形を規制する規制部とを備えること特徴とする。【選択図】図３
2013141808.tif 000002
【特許請求の範囲】
【請求項１】
第１の方向に移動しながら媒体に記録を行う記録ヘッドと、
前記記録ヘッドを備えるとともに、前記記録ヘッドから吐出されるインクが収容されたインクカートリッジが着脱可能に構成された、前記第１の方向に移動可能なキャリッジと、
前記キャリッジの移動領域上方を覆う状態と開放する状態とを取り得るカバーと、
前記カバーの内側に設けられ、前記カバーの変形を規制する規制部と、
を備えた記録装置。
【請求項２】
請求項１に記載の記録装置において、前記カバーは、回動軸を中心に回動することにより前記覆う状態と前記開放する状態とをとり得る様に設けられ、
前記規制部が、前記回動軸と、当該回動軸から離れた端部と、の間の中間位置よりも前記回動軸側の位置で前記カバーの変形を規制する、
ことを特徴とする記録装置。
【請求項３】
請求項１または２に記載の記録装置において、前記キャリッジの移動領域内に設定された前記キャリッジの一時停止領域内に前記キャリッジが停止した際に、前記キャリッジにおいて前記第１の方向に沿って複数設けられた前記インクカートリッジのうち交換すべきインクカートリッジを示す目印部が設けられ、
前記目印部が、前記規制部を兼ねている、
ことを特徴とする記録装置。
【請求項４】
請求項３に記載の記録装置において、前記目印部の表示面と、前記カバーの内面とが近接配置されている、ことを特徴とする記録装置。
【請求項５】
請求項３または４に記載の記録装置において、該記録装置の外観を成し、前記カバーが取り付けられているハウジングを備え、
前記ハウジングは、前記キャリッジの移動領域上方を露呈させる開口部と、
前記開口部の周縁を形成する板状部と、を有し、
前記目印部が前記板状部に設けられ、前記カバーの変形を規制する、
ことを特徴とする記録装置。
【請求項６】
請求項５に記載の記録装置において、前記板状部および前記目印部が前記ハウジングに一体的に形成されている、
ことを特徴とする記録装置。
【請求項７】
請求項５または６に記載の記録装置において、前記板状部において前記カバーの内面と対向する対向面と、前記カバーの内面とが近接配置されている、ことを特徴とする記録装置。
【請求項８】
請求項７に記載の記録装置において、前記目印部の表示面は、前記板状部の前記対向面より前記カバーの内面側に突出している、ことを特徴とする記録装置。
【請求項９】
請求項７に記載の記録装置において、前記板状部の前記対向面は、前記目印部の表示面より前記カバーの内面側に突出している、ことを特徴とする記録装置。
【請求項１０】
請求項３ないし９のいずれか１項に記載の記録装置において、前記目印部の表示面は、該表示面に凹状又は凸状に形成された目印を有する、ことを特徴とする記録装置。
【請求項１１】
請求項５ないし１０のいずれか１項に記載の記録装置において、前記目印部は、交換すべきインクカートリッジを指し示す様に前記開口部の内側に向けて突出する形状をなす、
ことを特徴とする記録装置。
【発明の詳細な説明】
【技術分野】
【０００１】
本発明は、被記録媒体に対してインクを吐出して記録する記録ヘッドを備える記録装置に関する。  
本願において、記録装置には、インクジェットプリンター、ラインプリンター、複写機、ファクシミリ等の種類が含まれるものとする。
【背景技術】
【０００２】
従来、記録装置の一つであるインクジェットプリンターの一例として、複数のインクカートリッジを個別に格納するキャリッジと、プリンター本体の外観を構成し、外部からキャリッジにアクセス可能な開口部が設けられたハウジングと、該開口部の位置に対応して前記ハウジングに開閉自在に取り付けられたカバーとを備えたものがある。
【０００３】
このインクジェットプリンターにおいて、ユーザーがインクカートリッジを交換するためにカバーを開いて作業するときに手元を誤って手をカバーにぶつけることや、カバーが閉じられているときにカバーに誤って物を落としたりすることにより、カバーに大きな外力が加わりカバーを破損させることがある。
【０００４】
このため、カバーに大きな外力が加わったとき、カバーを破損させないように構成されたインクジェットプリンターがある（例えば、特許文献１）。このインクジェットプリンターでは、カバーに大きな外力が加わったとき、カバーがハウジングから外れるようにカバーの回動部が構成されている。
【先行技術文献】
【特許文献】
【０００５】
【特許文献１】特開２００７−６２０３４８５号公報
【発明の概要】
【発明が解決しようとする課題】
【０００６】
しかしながら、上記の従来技術では、カバーに大きな外力が作用した場合にカバーがハウジングから外れてしまうので、その外れたカバーをハウジングに元通りに取り付けなければならず、手間が掛かる。
【０００７】
また、このインクジェットプリンターのカバーには、該カバーの自重も作用するので、カバーにクリープ変形が生じる虞がある。カバーが変形すると、カバーの円滑な開閉に支障を来たすだけでなく、カバーの変形によってカバーとハウジングとの間に隙間が形成される場合がある。そしてこの隙間によって装置の美観が損なわれるとともに、隙間から塵埃等がインクジェットプリンターの内部に入り込み、被記録媒体への記録品質に影響を与える虞がある。
【０００８】
本発明は、このような状況に鑑み成されたものであり、その課題は、カバーの取付状態を維持したままで、カバーの変形を防止することのできる記録装置を提供することである。
【課題を解決するための手段】
【０００９】
上記課題を達成するため、本発明の第１の態様の記録装置は、第１の方向に移動しながら媒体に記録を行う記録ヘッドと、前記記録ヘッドを備えるとともに、前記記録ヘッドから吐出されるインクが収容されたインクカートリッジが着脱可能に構成された、前記第１の方向に移動可能なキャリッジと、前記キャリッジの移動領域上方を覆う状態と開放する状態とを取り得るカバーと、前記カバーの内側に設けられ、前記カバーの変形を規制する規制部とを備えることを特徴とする。
【００１０】
本態様によれば、前記カバーが撓むと該カバーの内面と前記ハウジングの規制部とが接触して前記カバーを前記規制部が支持し、前記カバーの所定量以上の変形を防止することができる。
【００１１】
本発明の第２の態様は、第１の態様において、前記カバーは、回動軸を中心に回動することにより前記覆う状態と前記開放する状態とをとり得る様に設けられ、前記規制部が、前記回動軸と、当該回動軸から離れた端部と、の間の中間位置よりも前記回動軸側の位置で前記カバーの変形を規制することを特徴とする。
【００１２】
本態様によれば、第１の態様と同様の作用効果に加え、カバーの回動軸寄りに規制部を設けることにより、カバーの回動軸側の位置で前記カバーの変形を規制し、カバーの回動軸の破損を防止することができる。
【００１３】
本発明の第３の態様は、第１又は第２の態様において、前記キャリッジの移動領域内に設定された前記キャリッジの一時停止領域内に前記キャリッジが停止した際に、前記キャリッジにおいて前記第１の方向に沿って複数設けられた前記インクカートリッジのうち交換すべきインクカートリッジを示す目印部が設けられ、前記目印部が、前記規制部を兼ねていることを特徴とする。
【００１４】
本態様によれば、第１又は第２の態様と同様の作用効果に加え、前記目印部が前記規制部を兼ねることから前記規制部及び前記目印部を別部材として設けるよりも低コスト化を図ることができる。また、目印部により交換すべきインクカートリッジの誤認を防止することができる。
【００１５】
本発明の第４の態様は、第３の態様において、前記目印部の表示面と、前記カバーの内面とが近接配置されていることを特徴とする。  
本態様によれば、第３の態様と同様の作用効果に加え、前記表示面と前記カバーの内面とが近接配置されているから、前記表示面と前記カバーの内面とが接触し易く、これにより前記カバーの変形を確実に規制することができる。さらに、前記インクミストが前記表示面と前記カバーの内面との間に流入しづらくなるので、前記表示面にインクミストが堆積して前記表示面が視認し難くなることを抑制することができる。
【００１６】
本発明の第５の態様は、第３又は第４の態様において、前記記録装置の外観を成し、前記カバーが取り付けられているハウジングを備え、前記ハウジングは、前記キャリッジの移動領域上方を露呈させる開口部と、前記開口部の周縁を形成する板状部と、を有し、前記目印部が前記板状部に設けられ、前記カバーの変形を規制することを特徴とする。
【００１７】
本態様によれば、第３又は第４の態様と同様の作用効果に加え、前記カバーに外部から力が加わったとき、前記カバーが撓むと該カバーの内面と前記ハウジングの板状部に設けられた目印部とが接触して前記カバーを前記板状部が支持し、前記カバーの所定量以上の変形を防止することができる。
【００１８】
本発明の第６の態様は、第５の態様において、前記板状部及び前記目印部が前記ハウジングに一体的に形成されていることを特徴とする。  
本態様によれば、第５の態様と同様の作用効果に加え、前記ハウジングの金型により前記板状部及び前記目印部を前記ハウジングと一体に形成するから、前記板状部及び前記目印部を前記ハウジングに別部材として設けるよりも低コスト化を図ることができる。
【００１９】
本発明の第７の態様は、第５または第６の態様において、前記板状部において前記カバーの内面と対向する対向面と、前記カバーの内面とが近接配置されていることを特徴とする。
【００２０】
本態様によれば、第５または第６の態様と同様の作用効果に加え、前記対向面と前記内面とが近接配置されているから、前記インクミストが前記対向面と前記内面との間に流入しづらくなり、前記板状部から前記表示面への前記インクミストの流入を規制し、該インクミストの前記表示面への付着をより低減することができる。
【００２１】
本発明の第８の態様は、第７の態様において、前記目印部の表示面は、前記板状部の前記対向面より前記カバーの内面側に突出していることを特徴とする。  
本態様によれば、第７の態様と同様の作用効果に加え、前記対向面よりさらに前記内面側に前記表示面が突出していることから、前記表示面と前記内面との間への前記インクミストの流入の規制をより効果的なものとすることができる。
【００２２】
本発明の第９の態様は、第７の態様において、前記板状部の前記対向面は、前記目印部の表示面より前記カバーの内面側に突出していることを特徴とする。  
本態様によれば、第７の態様と同様の作用効果に加え、前記表示面が前記対向面に対して立体的に形成されていることから、前記表示面の視認性が向上する。
【００２３】
本発明の第１０の態様は、第３から第９のいずれか一の態様において、前記目印部の表示面は、該表示面に凹状または凸状に形成された目印を有することを特徴とする。  
本態様によれば、第３から第９のいずれか一の態様と同様の作用効果に加え、目印が表示面に対して立体的に形成されていることから、目印の視認性が向上する。
【００２４】
本発明の第１１の態様は、第５から第１０のいずれか一の態様において、前記目印部は、交換すべきインクカートリッジを指し示す様に前記開口部の内側に向けて突出する形状をなすことを特徴とする。
【００２５】
本態様によれば、第５から第１０のいずれか一の態様と同様の作用効果に加え、交換すべきインクカートリッジを目印だけでなく突起が指し示すことから、目印だけで前記インクカートリッジを指し示すよりも交換すべきインクカートリッジの誤認を防止することができる。
【図面の簡単な説明】
【００２６】
【図１】本発明に係るプリンター内部の概略を示す側断面図。
【図２】本発明に係るプリンターの斜視図。
【図３】本発明に係るプリンターのカバーを開放した状態を示す斜視図。
【図４】（Ａ）は第１の実施例の目印部を示す拡大図であり、（Ｂ）は第１の実施例の目印部を示す側断面図。
【図５】第１の実施例の目印部におけるインクカートリッジ交換状態を示す模式図。
【図６】（Ａ）は第２の実施例の目印部を示す拡大図であり、（Ｂ）は第２の実施例の目印部を示す側断面図。
【図７】（Ａ）は第３の実施例の目印部を示す拡大図であり、（Ｂ）は第３の実施例の目印部を示す側断面図。
【図８】第３の実施例の目印部におけるインクカートリッジ交換状態を示す模式図。
【図９】（Ａ）は第４の実施例の目印部を示す拡大図であり、（Ｂ）は第４の実施例の目印部を示す側断面図。
【発明を実施するための形態】
【００２７】
以下、本発明の実施の形態を図面に基づいて説明する。図１は本発明に係るプリンター内部の概略を示す側断面図であり、図２は本発明に係るプリンターの外観を示す斜視図であり、図３は本発明に係るプリンターにおいてカバーを開放した状態における外観を示す斜視図であり、図４（Ａ）は本発明に係る第１の実施例の目印部を示す拡大図であり、図４（Ｂ）は本発明に係る第１の実施例の目印部の側断面図であり、図５は第１の実施例の目印部におけるインクカートリッジ交換状態を示す模式図である。
【００２８】
また、図６（Ａ）は第２の実施例の目印部を示す拡大図であり、図６（Ｂ）は図６（Ａ）に示した第２の実施例の目印部の側断面図である。
【００２９】
また、図７（Ａ）は本発明に係る第３の実施例の目印部を示す拡大図であり、図７（Ｂ）は本発明に係る第３の実施例の目印部の側断面図であり、図８は第３の実施例の目印部におけるインクカートリッジ交換状態を示す模式図である。
【００３０】
また、図９（Ａ）は第４の実施例の目印部を示す拡大図であり、図９（Ｂ）は第４の実施例の目印部の側断面図である。
【００３１】
図１を参照するに、インクジェットプリンター１０（以下、プリンター１０という。）の背面側には、被記録媒体としての用紙が積層されるホッパー１２が、上方を支点に揺動可能に設けられている。ホッパー１２の最上位に積層された用紙は、給送部１４によって、搬送方向下流側である記録部１６へ給送される。
【００３２】
具体的には、ホッパー１２に積層された用紙は、給送用モーター（図示せず）によって駆動する給送ローラー１８によりピックアップされて、用紙ガイド２０、２０（図２参照）に案内されながら搬送方向の下流側の一対の搬送ローラー２２へと給送される。搬送ローラー２２まで給送された用紙は、搬送用モーター（図示せず）によって駆動される主搬送ローラー２２ａと主搬送ローラー２２ａの動きに従動する従動搬送ローラー２２ｂとに挟持されて、さらに搬送方向の下流側の記録部１６へと搬送される。
【００３３】
記録部１６は、用紙を下方から支持する媒体支持部材２４と、該媒体支持部材の上方側に対向するように設けられた記録ヘッド２６とによって構成される。キャリッジ２８は、第１の方向である主走査方向（図１の例では、紙面に垂直な方向）へ延びたキャリッジガイド軸３０に案内されながら、キャリッジモーター（図示せず）によって駆動する。さらに、キャリッジ２８には、主走査方向に整列した複数のインクカートリッジ３２が格納されている。キャリッジ２８の底面部には、用紙へ向かってインクを吐出する記録ヘッド２６が設けられている。
【００３４】
記録部１６で記録された用紙は、さらに下流側に搬送され、一対の排紙ローラー３４へと搬送される。排紙ローラー３４まで搬送された用紙は、排紙用モーター（図示せず）によって駆動される主排紙ローラー３４ａと主排紙ローラー３４ａの動きに従動する従動排紙ローラー３４ｂとに挟持されてプリンター１０の正面側から排出される。
【００３５】
また、本実施例では、搬送ローラー２２の駆動源と排紙ローラー３４の駆動源とを別々に設けた構成としたが、搬送ローラー２２の駆動源と排紙ローラー３４の駆動源とを共通とする構成としてもよい。
【００３６】
また、プリンター１０は、ホッパー１２に積載される用紙を案内支持するために、プリンター１０の背面側に引き出し可能な案内ガイド３６を備えている。さらに、プリンター１０は、媒体支持部材２４及び排紙ローラー３４の下方に格納され、プリンター１０の正面に引き出すことが可能な引き出し式の排紙ガイド３８を備えている。
【００３７】
図２を参照するに、本発明に係るプリンター１０の外観が示されている。プリンター１０は、その外観を構成するハウジング４０と、該ハウジングに回動可能に取り付けられているカバー４２とを備える。ハウジング４０は上面４４を備え、カバー４２は上面４６を備えている。
【００３８】
プリンター１０の背面側には、開口４８が設けられている。開口４８は、プリンター１０の内部に設けられたホッパー１２に用紙を外部から供給する用紙供給口として機能する。  
また、開口４８からは、案内ガイド３６を引き出して用紙をホッパー１２へ案内させることができる。
【００３９】
ハウジング４０の上面４４とカバー４２の上面４６とは、プリンター１０の高さ方向（図２の例では紙面上下方向）において高さが同じになるように構成されている。さらに、プリンター１０の上面すなわち上面４４及び上面４６にはプリンター１０の幅方向（図２において上面４４の長辺が延びている方向）に渡って延びているリング状の溝５０が設けられている。溝５０は、ハウジング４０またはカバー４２が前記高さ方向に撓んだとしても、ハウジング４０の上面４４とカバー４２の上面４６とを極力一体的に見せることができ、プリンター１０の外観の統一感を損なうことがない。
【００４０】
尚、本実施例では、上面４４及び上面４６にリング状の溝が形成されているとしたが、これに限らず、上面４４と上面４６とが一体的に見えるような意匠や形状であってもよい。
【００４１】
■■■第１の実施例■■■■■
図３を参照するに、カバー４２が開いた状態のプリンター１０が示されている。図３の実施例では、カバー４２は、断面Ｌ字状で、上面４６、前面５２及び上面４６と反対側の面である内面５４から構成されている。カバー４２は、プリンター１０の幅方向に延びており、該幅方向の両端部５６，５６における背面側に回動軸５８，５８が設けられている。カバー４２は、回動軸５８，５８を介してハウジング４０に対して回動可能に取り付けられている。
【００４２】
ハウジング４０には、ハウジング４０の上面４４からハウジング４０の前面６０に渡って、カバー４２の取り付けられている位置に開口部６２が設けられている。開口部６２は、プリンター１０の前記幅方向に延びている。
【００４３】
開口部６２は、複数のインクカートリッジ３２を格納したキャリッジ２８の前記主走査方向における移動領域の上方及び前方を開放している。すなわち、開口部６２は、キャリッジ２８が移動領域の一時停止位置にあるとき、キャリッジ２８の上方及び前方を露呈している。これにより、開口部６２は、カバー４２を開放した状態においてユーザーがプリンター１０の内部において一時停止位置にあるキャリッジ２８へのアクセスを可能とする。
【００４４】
図３の実施例において、開口部６２は、カバー４２がプリンター１０に対して閉じられたとき、カバー４２の上面４６と前面５２とに覆われる。これにより、プリンター１０の内部空間は、プリンター１０の外部と遮断される。
【００４５】
図４（Ａ）及び図４（Ｂ）を参照するに、開口部６２には、該開口部の周縁を形成する板状部６４が設けられている。板状部６４は、ハウジング４０に一体で形成され、プリンター１０の前記幅方向に延設されている。板状部６４には、キャリッジ２８の一時停止位置付近にユーザーが目視可能な目印部６６が設けられている。
【００４６】
目印部６６は、カバー４２の変形を規制する規制部を兼ねている。目印部６６は、キャリッジ２８の移動方向からカバー４２と板状部６４を見た際に、カバー４２の回動軸５８側と該回動軸側から離れた端部５２ａ側とを結ぶ方向（図１において左右方向）において回動軸５８と該回動軸側から離れた端部との間の中間位置よりも回動軸５８寄りに設けられている。目印部６６は、カバー４２が撓んだとき、カバー４２の内面５４と接触することによりカバー４２を支持し、カバー４２の所定量以上の変形を規制する。尚、図１において位置Ｘ１は回動軸５８の位置であり、位置Ｘ３はカバー４２の端部５２ａの位置であり、位置Ｘ２は位置Ｘ１と位置Ｘ３との間の中間位置であり、位置Ｘ４は目印部６６がカバー４２と当接する位置である。
【００４７】
また、目印部６６には、表示面６８と目印部６６から開口部６２の内側に向けて突出する突起７０とが設けられている。目印部６６は、キャリッジ２８が一時停止位置にあるとき、キャリッジ２８に格納された複数のインクカートリッジ３２において交換すべきインクカートリッジを指し示す。
【００４８】
目印部６６の表示面６８は、カバー４２がプリンター１０に対して閉じられた状態にあるとき、カバー４２の内面５４と対向している。表示面６８は、内面５４に近接配置され、図４（Ｂ）の実施例では内面５４の直下に配置されている。表示面６８と内面５４との間隔は、表示面６８と内面５４との間へのプリンター１０内部に浮遊するインクミストの流入を規制するように設定されている。
【００４９】
さらに、目印部６６の表示面６８は、内面５４に近接配置されていることから、カバー４２にプリンター１０の外部から力が掛かり、カバー４２がプリンター１０の内部へ向けて撓んだとき、内面５４と確実に接触し、カバー４２を支持することができる。
【００５０】
また、目印部６６の表示面６８には、該表示面と一体に目印７２が形成されている。目印７２は、インクカートリッジの交換を示すマーク等である。図示の実施例では、表示面６８の表面に溝状の目印として形成されているが、凸状の目印としてもよい。
【００５１】
ここで図５を参照して、キャリッジ２８の一時停止領域Ａ内において目印部６６と交換状態にあるインクカートリッジ３２との位置関係について説明する。
【００５２】
図５は、一時停止位置にあるキャリッジ２８におけるインクカートリッジ３２の交換状態の模式図を示している。図５の例においてキャリッジ２８には、紙面左方からインクカートリッジ３２ａ，３２ｂ，３２ｃ，３２ｄが格納されている。キャリッジ２８は、目印部６６の突起７０が交換すべきインクカートリッジを指し示すように一時停止領域Ａ内において一時停止する。
【００５３】
図５の例では、交換すべきインクカートリッジは３２ｂである。これにより本実施例では、目印７２だけでなく突起７０も交換すべきインクカートリッジ３２ｂを指し示すことから、交換すべきインクカートリッジ３２ｂを認識することが容易となり、インクカートリッジ３２の誤交換を防止することが可能となる。
【００５４】
尚一時停止領域Ａとは、例えば本実施例の符号を用いて説明すると、主走査方向においてキャリッジ２８に格納された複数のインクカートリッジ３２の最も左側のインクカートリッジ３２ａを突起７０が指し示したときのキャリッジ２８の右端の位置と、最も右側のインクカートリッジ３２ｄを突起７０が指し示したときのキャリッジ２８の左端の位置との間の領域のことである。
【００５５】
再度図４（Ａ）及び図４（Ｂ）を参照するに、板状部６４は、カバー４２の内面５４と対向する面７４を有している。対向面７４は、内面５４に近接配置され、図４（Ｂ）の実施例では内面５４の直下に配置されている。対向面７４と内面５４との間隔は、対向面７４と内面５４との間へプリンター１０内部に浮遊するインクミストが流入することを規制するように設定されている。  
本実施例では、目印部６６の三方（左右及び奥方）を板状部６４が取り囲んでおり、目印部６６と内面５４との間にインクミストをより流入させにくい構造となっている。
【００５６】
また、板状部６４も、内面５４に近接配置されていることから、カバー４２がプリンター１０の内部へ向けて撓んだとき、内面５４と接触し、カバー４２を支持することができる。
【００５７】
また、本実施例では板状部６４と目印部６６とは、ハウジング４０と一体で形成されている。これによりハウジング４０、板状部６４及び目印部６６を金型で一体成形することができることから、プリンター１０の部材の低コスト化を図ることができる。
【００５８】
本実施例においては、板状部６４の対向面７４を表示面６８よりもカバー４２の内面５４へ突出する構成としている。この構成によれば、カバー４２を開放した状態において、目印部６６と板状部６４とが立体的に見えることから、目印部６６の視認性が向上する。
【００５９】
また、上記構成に代えて、表示面６８を対向面７４よりもカバー４２の内面５４へ突出する構成としてもよい。このようにすれば、表示面６８と内面５４との間隔は、対向面７４と内面５４との間隔より小さくなることから、浮遊しているインクミストがより表示面６８と内面５４との間に流入しづらくなる。また、この構成においても、上記実施例と同様に目印部６６の視認性が向上する。
【００６０】
また、本実施例では、目印７２は表示面６８と一体で形成されているが、これに限られず、目印７２は表示面６８と一体に形成されていなくてもよい。その場合には、表示面６８に目印７２を示すシール等を貼り付けて、目印７２を表示面６８に対して凹状または凸状に形成することができる。これにより、ユーザーは、目印７２が表示面６８に対して立体的に見えることから目印７２の視認性が向上する。
【００６１】
本実施例では、突起７０は目印部６６から突出する矢印の形状であるが、交換すべきインクカートリッジ３２ｂの位置を指し示す形状であれば、これに限られない。
【００６２】
本実施例において板状部６４は、目印部６６の三方（左右及び奥方）に形成されているが、目印部６６の四方に板状部６４を形成してもよい。この構成によれば、目印部６６の周囲全てを板状部６４に囲まれていることから、インクミストの流入を板状部６４が規制し、目印部６６にインクミストが付着することをより効果的に防止することができる。
【００６３】
また、本実施例では目印部６６とカバー４２の内面５４とが対向するように設けられているが、これに限らず、目印部６６をカバー４２の前面５２の反対側の面である内面と対向するように近接配置してもよい。この構成の場合においては、板状部６４の対向面７４も前面５２の反対側の面である前記内面に近接配置してもよい。
【００６４】
■■■第２の実施例■■■■■
図６（Ａ）及び図６（Ｂ）を参照するに、本発明の第２の実施例が示されている。  
本態様は、カバー４２の変形を規制する規制部として機能する目印部７６が開口部７８の内側に向けて突出する突起を備えていない点で上記第１の実施例と相違する。
【００６５】
また、本実施例では、目印部７６と板状部８０とを成形する金型の形状を単純な形状とすることができ、前記金型のコストを低減することができる。
【００６６】
■■■第３の実施例■■■■■
図７（Ａ）及び図７（Ｂ）を参照するに、本発明の第３の実施例が示されている。第３の実施例は、板状部８２の対向面８４とカバー８６の内面８８との間隔が、インクミストの流入を規制するように設定されていない点で第１の実施例と異なる。
【００６７】
本実施例では、ハウジング９０に一体に形成された板状部８２の対向面８４にカバー８６の変形を規制する規制部として機能する目印部９２が設けられている。目印部９２は、カバー８６の内面８８に向けて対向面８４から突出している。目印部９２には表示面９４と目印部９２から開口部９６の内側に向けて突出する突起９８とが形成されている。目印部（規制部）９２の表示面９４は、カバー８６が撓んだとき、カバー８６の内面８８と線接触することによりカバー８６を支持し、カバー８６の所定量以上の変形を規制する。また、表示面９４と内面８８との間隔は、表示面９４と内面８８との間へプリンター１０の内部に浮遊するインクミストが流入することを規制するように設定されている。
【００６８】
本実施例に係る目印部９２は、板状部８２の対向面８４から内面８８に向けて突出するように形成されていることから、カバー８６を開放した状態において目印部９２の視認性が高い。
【００６９】
図８を参照するに、本実施例における一時停止位置にあるキャリッジ２８におけるインクカートリッジ３２の交換状態の模式図が示されている。図８の例においてキャリッジ２８には、紙面左方からインクカートリッジ３２ａ，３２ｂ，３２ｃ，３２ｄが格納されている。キャリッジ２８は、目印部９２の突起９８が交換すべきインクカートリッジを指し示すように一時停止領域Ａ内において一時停止する。
【００７０】
図８の例では、交換すべきインクカートリッジは３２ｂである。これにより本実施例では、目印１００だけでなく突起９８も交換すべきインクカートリッジ３２ｂを指し示すことから、交換すべきインクカートリッジ３２ｂを認識することが容易となり、インクカートリッジ３２の誤交換を防止することが可能となる。
【００７１】
■■■第４の実施例■■■■■
図９（Ａ）及び図９（Ｂ）を参照するに、本発明の第４の実施例が示されている。  
本態様は、カバー１１０の変形を規制する規制部として機能する目印部１０２が該目印部から開口部１０４の内側に向けて突出する突起を備えていない点で上記第３の実施例と相違する。
【００７２】
本態様においても、目印部１０２が板状部１０６の対向面１０８からカバー１１０の内面１１２に向けて突出するように形成されていることから、カバー１１０を開放した状態において目印部１０２の視認性が高い。  
尚、本実施例では、目印部１０２の頂部においてカバー１１０の内面と接する面積が上述した第１〜第３実施例に比して小さくなるものの、目印部１０２はカバー１１０の内面と接することができるので、カバー１１０の変形を充分に規制することができる。
【００７３】
尚、以上説明した第１〜第４の実施例では、交換すべきインクカートリッジを示す為の目印部が、カバーの変形を規制する規制部を兼ねる様に構成されているが、これに限られず、前記目印部と前記規制部とを別々に構成しても良い。
【００７４】
また、本実施形態では本発明を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７５】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００７６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７７】
１０  インクジェットプリンター、１２  ホッパー、１４  給送部、１６  記録部、１８  給送ローラー、２０  用紙ガイド、２２  搬送ローラー、２２ａ  主搬送ローラー、２２ｂ  従動搬送ローラー、２４  媒体支持部材、２６  記録ヘッド、２８  キャリッジ、３０  キャリッジガイド軸、３２，３２ａ，３２ｂ，３２ｃ，３２ｄ  インクカートリッジ、３４  排紙ローラー、３４ａ  主排紙ローラー、３４ｂ  従動排紙ローラー、３６  案内ガイド、３８  排紙ガイド、４０、９０  ハウジング、４２、８６、１１０  カバー、４４  ハウジングの上面、４６  カバーの上面、４８  開口、５０  溝、５２  カバーの前面、５４、８８、１１２  カバーの内面、５６  カバーの両端部、５８  回動軸、６０  ハウジングの前面、６２、７８、９６、１０４  開口部、６４、８０、８２、１０６  板状部、６６、７６、９２、１０２  目印部（規制部）、６８、９４  表示面、７０、９８  突起、７２、１００  目印、７４、８４、１０８  板状部の対向面、Ａ  一時停止領域
【図１】
2013141808.tif 000003
【図２】
2013141808.tif 000004
【図３】
2013141808.tif 000005
【図４】
2013141808.tif 000006
【図５】
2013141808.tif 000007
【図６】
2013141808.tif 000008
【図７】
2013141808.tif 000009
【図８】
2013141808.tif 000010
【図９】
2013141808.tif 000011